(57)【特許請求の範囲】
【請求項１】
合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、
建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付けることを特徴とする防蟻用断熱板の施工方法。
【請求項２】
合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付けることを特徴とする防蟻用断熱板の施工方法。
【請求項３】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、
前記シート材の下縁部を前記布基礎に取付けた後、前記合成樹脂発泡板の上端から所定長さ突出したシート材の上縁部を、前記布基礎上に載置された土台又はこの土台に固定された木材に取付けることを特徴とする防蟻用断熱板の施工方法。
【請求項４】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、
前記シート材の下縁部を前記布基礎に取付けた後、前記合成樹脂発泡板の上端から所定長さ突出したシート材の上縁部を、前記布基礎上に載置された土台又はこの土台に固定された木材に取付けることを特徴とする防蟻用断熱板の施工方法。
【請求項５】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、
前記シート材の下縁部を前記布基礎に取付けた後、前記合成樹脂発泡板の上端から所定長さ突出したシート材の上縁部を、前記布基礎上に載置される土台と布基礎との間に介在する気密パッキンの下に挟むことを特徴とする防蟻用断熱板の施工方法。
【請求項６】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、
前記シート材の下縁部を前記布基礎に取付けた後、前記合成樹脂発泡板の上端から所定長さ突出したシート材の上縁部を、前記布基礎上に載置される土台と布基礎との間に介在する気密パッキンの下に挟むことを特徴とする防蟻用断熱板の施工方法。
【請求項７】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、
前記防蟻用断熱板を前記立ち上がり部に密着させると同時に、前記合成樹脂発泡板の上端から所定長さ突出したシート材の上縁部を前記立ち上がり部に接着することを特徴とする防蟻用断熱板の施工方法。
【請求項８】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、
前記シート材の下縁部を前記布基礎に埋設すると同時に、前記合成樹脂発泡板の上端から所定長さ突出したシート材の上縁部を前記立ち上がり部に埋設することを特徴とする防蟻用断熱板の施工方法。
【請求項９】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、
前記シート材の下縁部を前記布基礎に埋設した後、前記合成樹脂発泡板の上端から所定長さ突出したシート材の上縁部を、前記布基礎の天端に施工されるならしモルタルに埋設することを特徴とする防蟻用断熱板の施工方法。
【請求項１０】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、
前記シート材の下縁部を前記布基礎に取付けた後、前記合成樹脂発泡板の上端から所定長さ突出したシート材の上縁部を、前記布基礎の内方に盛り上げた盛土上に前記布基礎の天端面とその上面とがほぼ同じ高さとなるように施工された土間床の上面に接着することを特徴とする防蟻用断熱板の施工方法。
【請求項１１】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、
前記シート材の下縁部を前記布基礎に取付けた後、前記合成樹脂発泡板の上端から所定長さ突出したシート材の上縁部を、前記布基礎の内方に盛り上げた盛土上に前記布基礎の天端面とその上面とがほぼ同じ高さとなるように施工された土間床の上面に接着することを特徴とする防蟻用断熱板の施工方法。
【請求項１２】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、
前記シート材の下縁部を前記布基礎に取付けた後、前記シート材の上縁部を、前記布基礎の内方に盛り上げた盛土上に前記布基礎の天端面とその上面とがほぼ同じ高さとなるように施工される土間床に埋設することを特徴とする防蟻用断熱板の施工方法。
【請求項１３】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、
前記シート材の下縁部を前記布基礎に取付けた後、前記シート材の上縁部を、前記布基礎の内方に盛り上げた盛土上に前記布基礎の天端面とその上面とがほぼ同じ高さとなるように施工される土間床に埋設することを特徴とする防蟻用断熱板の施工方法。
【請求項１４】
合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、
建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付けることを特徴とする防蟻用断熱板の施工方法。
【請求項１５】
合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付けることを特徴とする防蟻用断熱板の施工方法。
【請求項１６】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付ける場合に、
前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置された土台又はこの土台に固定された木材に取付けることを特徴とする防蟻用断熱板の施工方法。
【請求項１７】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置された土台又はこの土台に固定された木材に取付けることを特徴とする防蟻用断熱板の施工方法。
【請求項１８】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付ける場合に、
前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置される土台と外周立ち上がり部との間に介在する気密パッキンの下に挟むことを特徴とする防蟻用断熱板の施工方法。
【請求項１９】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置される土台と外周立ち上がり部との間に介在する気密パッキンの下に挟むことを特徴とする防蟻用断熱板の施工方法。
【請求項２０】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付ける場合に、
前記防蟻用断熱板を前記外周立ち上がり部に密着させると同時に、前記合成樹脂発泡板の上端から所定長さ突出したシート材の上縁部を前記外周立ち上がり部に接着することを特徴とする防蟻用断熱板の施工方法。
【請求項２１】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに埋設した後、この基礎スラブ上に前記一の型枠から所定間隔を開けて他の型枠を互いに平行に保持し、この１対の型枠内にコンクリートを打設して外周立ち上がり部を施工すると同時に、前記合成樹脂発泡板の上端から所定長さ突出したシート材の上縁部をこの外周立ち上がり部に埋設することを特徴とする防蟻用断熱板の施工方法。
【請求項２２】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに埋設した後、前記合成樹脂発泡板の上端から所定長さ突出したシート材の上縁部を、前記基礎スラブの外周部分に施工した外周立ち上がり部の天端に施工されるならしモルタルに埋設することを特徴とする防蟻用断熱板の施工方法。
【請求項２３】
合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、
建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付けることを特徴とする防蟻用断熱板の施工方法。
【請求項２４】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに取付けた後、前記合成樹脂発泡板の上端から所定長さ突出したシート材の上縁部を、前記基礎スラブの外周部分に載置された土台又はこの土台に固定された木材に取付けることを特徴とする防蟻用断熱板の施工方法。
【請求項２５】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付ける場合に、
前記シート材の下縁部を前記基礎スラブに取付けた後、前記合成樹脂発泡板の上端から所定長さ突出したシート材の上縁部を、前記基礎スラブの外周部分に載置された土台又はこの土台に固定された木材に取付けることを特徴とする防蟻用断熱板の施工方法。
【請求項２６】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに取付けた後、前記合成樹脂発泡板の上端から所定長さ突出したシート材の上縁部を、前記基礎スラブの外周部分に載置される土台と基礎スラブとの間に介在する気密パッキンの下に挟むことを特徴とする防蟻用断熱板の施工方法。
【請求項２７】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付ける場合に、
前記シート材の下縁部を前記基礎スラブに取付けた後、前記合成樹脂発泡板の上端から所定長さ突出したシート材の上縁部を、前記基礎スラブの外周部分に載置される土台と基礎スラブとの間に介在する気密パッキンの下に挟むことを特徴とする防蟻用断熱板の施工方法。
【請求項２８】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付ける場合に、
前記防蟻用断熱板を前記基礎スラブに密着させると同時に、前記合成樹脂発泡板の上端から所定長さ突出したシート材の上縁部を前記基礎スラブに接着することを特徴とする防蟻用断熱板の施工方法。
【請求項２９】
合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、
建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、
前記シート材の下縁部を前記基礎スラブに埋設すると同時に、前記合成樹脂発泡板の上端から所定長さ突出したシート材の上縁部をこの基礎スラブに埋設することを特徴とする防蟻用断熱板の施工方法。
【請求項３０】
前記シート材の下縁部を前記合成樹脂発泡板の少なくとも下端にあらかじめ取付けておくことを特徴とする請求項１乃至２９のいずれか記載の防蟻用断熱板の施工方法。
【請求項３１】
前記シート材の下縁部を前記合成樹脂発泡板の下端及び他側面にあらかじめ取付けておくことを特徴とする請求項３０記載の防蟻用断熱板の施工方法。
【請求項３２】
前記合成樹脂発泡板の上端から所定長さ突出したシート材の上縁部を前記合成樹脂発泡板の少なくとも上端にあらかじめ取付けておくことを特徴とする請求項１乃至３１のいずれか記載の防蟻用断熱板の施工方法。
【請求項３３】
前記シート材の一縁部と前記合成樹脂発泡板の一端とを揃えておくと共に、前記合成樹脂発泡板の他端から所定長さ突出したシート材の他縁部を、横方向に相隣接して配置された防蟻用断熱板のシート材の一縁部に重合して取付けることを特徴とする請求項１乃至３２のいずれか記載の防蟻用断熱板の施工方法。
【請求項３４】
前記シート材が可撓性を有することを特徴とする請求項１乃至３３のいずれか記載の防蟻用断熱板の施工方法。
【請求項３５】
前記シート材が、少なくともいずれかの方向において前記白アリの頭部横断面の最大寸法の２倍以下の寸法である複数のアンカー孔を有することを特徴とする請求項１乃至３４のいずれか記載の防蟻用断熱板の施工方法。
【発明の詳細な説明】
【０００１】
【発明の属する技術分野】
この発明は、断熱基礎に使用される断熱板の内部を白アリが通過して建物の軸組や床組等へ侵入するのを防止するために使用される防蟻用断熱板の施工方法に関する。
【０００２】
【従来の技術】
従来のこの種の技術としては、例えば、実公平６−４０７２８号公報に開示されているように、合成樹脂発泡体を芯材とし、該芯材の表裏面を面材で被覆すると共に、少なくとも一端面を防虫網で被覆した断熱板等が知られている。
【０００３】
【発明が解決しようとする課題】
しかしながら、上記のような従来の断熱板においては、壁体や内外装材等として使用可能であることは開示されているが、その具体的な施工方法については何も開示されていない。
【０００４】
この発明は、以上のような事情に鑑みてなされたものであり、断熱基礎に使用される防蟻用断熱板を簡単に取付けることができると共に、白アリの侵入も確実に防止できる防蟻用断熱板の施工方法を提供することを目的とする。
【０００５】
【課題を解決するための手段】
上記目的を達成するための手段とするところは、第１に、合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付けることにある。
【０００６】
第２に、合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付けることにある。
【０００７】
第３に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、前記シート材の下縁部を前記布基礎に取付けた後、前記合成樹脂発泡板の上端から所定長さ突出したシート材の上縁部を、前記布基礎上に載置された土台又はこの土台に固定された木材に取付けることにある。
第４に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、前記シート材の下縁部を前記布基礎に取付けた後、前記合成樹脂発泡板の上端から所定長さ突出したシート材の上縁部を、前記布基礎上に載置された土台又はこの土台に固定された木材に取付けることにある。
【０００８】
第５に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、前記シート材の下縁部を前記布基礎に取付けた後、前記合成樹脂発泡板の上端から所定長さ突出したシート材の上縁部を、前記布基礎上に載置される土台と布基礎との間に介在する気密パッキンの下に挟むことにある。
第６に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、前記シート材の下縁部を前記布基礎に取付けた後、前記合成樹脂発泡板の上端から所定長さ突出したシート材の上縁部を、前記布基礎上に載置される土台と布基礎との間に介在する気密パッキンの下に挟むことにある。
【０００９】
第７に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、前記防蟻用断熱板を前記立ち上がり部に密着させると同時に、前記合成樹脂発泡板の上端から所定長さ突出したシート材の上縁部を前記立ち上がり部に接着することにある。
【００１０】
第８に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、前記シート材の下縁部を前記布基礎に埋設すると同時に、前記合成樹脂発泡板の上端から所定長さ突出したシート材の上縁部を前記立ち上がり部に埋設することにある。
【００１１】
第９に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、前記シート材の下縁部を前記布基礎に埋設した後、前記合成樹脂発泡板の上端から所定長さ突出したシート材の上縁部を、前記布基礎の天端に施工されるならしモルタルに埋設することにある。
【００１２】
第１０に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、前記シート材の下縁部を前記布基礎に取付けた後、前記合成樹脂発泡板の上端から所定長さ突出したシート材の上縁部を、前記布基礎の内方に盛り上げた盛土上に前記布基礎の天端面とその上面とがほぼ同じ高さとなるように施工された土間床の上面に接着することにある。
第１１に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、前記シート材の下縁部を前記布基礎に取付けた後、前記合成樹脂発泡板の上端から所定長さ突出したシート材の上縁部を、前記布基礎の内方に盛り上げた盛土上に前記布基礎の天端面とその上面とがほぼ同じ高さとなるように施工された土間床の上面に接着することにある。
【００１３】
第１２に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分に施工された布基礎の立ち上がり部の外側面又は内側面に、前記防蟻用断熱板の合成樹脂発泡板の他側面を密着させると同時に又は密着させた後、前記シート材の下縁部を前記布基礎に接着することにより取付ける場合に、前記シート材の下縁部を前記布基礎に取付けた後、前記シート材の上縁部を、前記布基礎の内方に盛り上げた盛土上に前記布基礎の天端面とその上面とがほぼ同じ高さとなるように施工される土間床に埋設することにある。
第１３に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に間隔を開けて互いに平行に保持された１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付ける場合に、前記シート材の下縁部を前記布基礎に取付けた後、前記シート材の上縁部を、前記布基礎の内方に盛り上げた盛土上に前記布基礎の天端面とその上面とがほぼ同じ高さとなるように施工される土間床に埋設することにある。
【００１４】
第１４に、合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付けることにある。
【００１５】
第１５に、合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付けることにある。
【００１６】
第１６に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付ける場合に、前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置された土台又はこの土台に固定された木材に取付けることにある。
第１７に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置された土台又はこの土台に固定された木材に取付けることにある。
【００１７】
第１８に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付ける場合に、前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置される土台と外周立ち上がり部との間に介在する気密パッキンの下に挟むことにある。
第１９に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに取付けた後、前記合成樹脂発泡板の上端から所定長さ突出したシート材の上縁部を、前記基礎スラブの外周部分に施工した外周立ち上がり部上に載置される土台と外周立ち上がり部との間に介在する気密パッキンの下に挟むことにある。
【００１８】
第２０に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物のべた基礎の外周部分に施工された外周立ち上がり部の外側面又は内側面に、前記防蟻用断熱板の合成樹脂発泡板の他側面を密着させると同時に又は密着させた後、前記シート材の下縁部を前記外周立ち上がり部、この外周立ち上がり部の下方に施工された基礎スラブ、又はこの基礎スラブの下方に施工された捨てコンクリートに接着することにより取付ける場合に、前記防蟻用断熱板を前記外周立ち上がり部に密着させると同時に、前記合成樹脂発泡板の上端から所定長さ突出したシート材の上縁部を前記外周立ち上がり部に接着することにある。
【００１９】
第２１に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに埋設した後、この基礎スラブ上に前記一の型枠から所定間隔を開けて他の型枠を互いに平行に保持し、この１対の型枠内にコンクリートを打設して外周立ち上がり部を施工すると同時に、前記合成樹脂発泡板の上端から所定長さ突出したシート材の上縁部をこの外周立ち上がり部に埋設することにある。
【００２０】
第２２に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに埋設した後、前記合成樹脂発泡板の上端から所定長さ突出したシート材の上縁部を、前記基礎スラブの外周部分に施工した外周立ち上がり部の天端に施工されるならしモルタルに埋設することにある。
【００２１】
第２３に、合成樹脂発泡板の一側面を、白アリの分泌物に耐性の耐腐食性材料で構成されかつ複数のアンカー孔を有するシート材で前記合成樹脂発泡板の下端からこのシート材の下縁部が所定長さ突出するように被覆した防蟻用断熱板の施工方法であって、建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付けることにある。
【００２２】
第２４に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに取付けた後、前記合成樹脂発泡板の上端から所定長さ突出したシート材の上縁部を、前記基礎スラブの外周部分に載置された土台又はこの土台に固定された木材に取付けることにある。
第２５に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付ける場合に、前記シート材の下縁部を前記基礎スラブに取付けた後、前記合成樹脂発泡板の上端から所定長さ突出したシート材の上縁部を、前記基礎スラブの外周部分に載置された土台又はこの土台に固定された木材に取付けることにある。
【００２３】
第２６に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに取付けた後、前記合成樹脂発泡板の上端から所定長さ突出したシート材の上縁部を、前記基礎スラブの外周部分に載置される土台と基礎スラブとの間に介在する気密パッキンの下に挟むことにある。
第２７に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付ける場合に、前記シート材の下縁部を前記基礎スラブに取付けた後、前記合成樹脂発泡板の上端から所定長さ突出したシート材の上縁部を、前記基礎スラブの外周部分に載置される土台と基礎スラブとの間に介在する気密パッキンの下に挟むことにある。
【００２４】
第２８に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の基礎スラブの外側面に、前記防蟻用断熱板の合成樹脂発泡板の他側面を密着させると同時に又は密着させた後、前記シート材の下縁部を前記基礎スラブ又はこの基礎スラブの下方に施工された捨てコンクリートに接着することにより取付ける場合に、前記防蟻用断熱板を前記基礎スラブに密着させると同時に、前記合成樹脂発泡板の上端から所定長さ突出したシート材の上縁部を前記基礎スラブに接着することにある。
【００２５】
第２９に、合成樹脂発泡板の一側面を、白アリの分泌物に耐性の耐腐食性材料で構成されたシート材で前記合成樹脂発泡板の下端からこのシート材の下縁部が所定長さ突出するように被覆した防蟻用断熱板の施工方法であって、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付ける場合に、前記シート材の下縁部を前記基礎スラブに埋設すると同時に、前記合成樹脂発泡板の上端から所定長さ突出したシート材の上縁部をこの基礎スラブに埋設することにある。
【００２６】
第３０に、前記シート材の下縁部を前記合成樹脂発泡板の少なくとも下端にあらかじめ取付けておくことにある。
第３１に、前記シート材の下縁部を前記合成樹脂発泡板の下端及び他側面にあらかじめ取付けておくことにある。
【００２７】
第３２に、前記合成樹脂発泡板の上端から所定長さ突出したシート材の上縁部を前記合成樹脂発泡板の少なくとも上端にあらかじめ取付けておくことにある。
【００２８】
第３３に、前記シート材の一縁部と前記合成樹脂発泡板の一端とを揃えておくと共に、前記合成樹脂発泡板の他端から所定長さ突出したシート材の他縁部を、横方向に相隣接して配置された防蟻用断熱板のシート材の一縁部に重合して取付けることにある。
【００２９】
第３４に、前記シート材が可撓性を有することにある。
【００３０】
第３５に、前記シート材が、少なくともいずれかの方向において前記白アリの頭部横断面の最大寸法の２倍以下の寸法である複数のアンカー孔を有することにある。
【００３１】
【発明の実施の形態】
以下、この発明の実施形態を図面に基づいて説明する。
図１乃至図８に示すように、第１実施形態に係る防蟻用断熱板１の施工方法は、例えば、合成樹脂発泡板２の一側面２ａを、白アリ３の分泌物に耐性のステンレスメッシュ（シート材）４で前記合成樹脂発泡板２の下端２ｄからこのステンレスメッシュ４の下縁部４ｄが所定長さ突出するように被覆した防蟻用断熱板１の施工方法であって、建物Ａ１の外周部分に施工された布基礎５の立ち上がり部６の外側面６ａに、前記防蟻用断熱板１の合成樹脂発泡板２の他側面２ｂを密着させた後、前記ステンレスメッシュ４の下縁部４ｄを前記布基礎５のベース部７に接着することにより取付けるものである。
【００３２】
前記防蟻用断熱板１は、図１乃至図３に示すように、例えば矩形板状に形成された合成樹脂発泡板２の一側面２ａ全体を、白アリ３の分泌物に耐性の耐腐食性材料であるステンレスで構成され且つ複数の編み目（アンカー孔）８を有するステンレスメッシュ４で被覆したものであり、前記合成樹脂発泡板２の下端２ｄからステンレスメッシュ４の下縁部４ｄが所定長さ突出している。同様に、合成樹脂発泡板２の上端２ｃからも、ステンレスメッシュ４の上縁部４ｃが所定長さ突出している。また、合成樹脂発泡板２の一端２ｅとステンレスメッシュ４の一縁部４ｅとは揃えられていると共に、合成樹脂発泡板２の他端２ｆからはステンレスメッシュ４の他縁部４ｆが所定長さ突出している。
【００３３】
前記合成樹脂発泡板２は、例えば、幅１８０ｃｍ、高さ６０ｃｍ、厚さ５ｃｍ程度その他の大きさに形成され、その材質としては、発泡ポリプロピレン、発泡ポリエチレン等に代表される発泡ポリオレフィンの他、発泡ポリスチレン、発泡ポリウレタン、発泡ポリ塩化ビニル等の各種の合成樹脂の発泡板が挙げられる。
【００３４】
前記白アリ３とは、ゴキブリに近縁の社会生活をする不完全変態の昆虫であって、シロアリ目（等翅類）Isopteraの総称である。このような白アリ３としては、例えば、ヤマトシロアリやイエシロアリ等の各種の白アリが挙げられる。また、この白アリ３は、図３に示すように、非変形性の堅い頭部３ａを有する一方、頭部３ａより横断面の最大寸法が少し大きいと共に、比較的柔らかくて弱い体部３ｂを有している。
【００３５】
前記ステンレスメッシュ４は、図２に示すように、例えば、白アリ３の分泌物に耐性で且つ少なくとも約７０のショア硬度を有する耐腐食性材料であるステンレス鋼ワイヤー９から製織されて可撓性を有している。
【００３６】
なお、耐腐食性材料としては、ステンレスに限定されるものではなく、白アリ３から放出されるギ酸等の分泌物に耐性で且つ白アリ３が噛み砕くことができない硬さ、好ましくは少なくとも約７０のショア硬度を有すると共に、使用環境下で数十年の耐用年数を有するものであれば、セラミックス、ガラス、合成樹脂、金属等の各種の材料を使用することができる。
【００３７】
また、複数のアンカー孔を有するシート材としては、この実施形態のようなステンレスメッシュ４の他、例えば複数の円状等のアンカー孔を打ち抜いて形成したパンチングメタルや、あるいは複数のシャーリング溝等を形成することによって設けた複数のアンカー孔を有する金属シート等が挙げられる。
【００３８】
上記のように構成される合成樹脂発泡板２とステンレスメッシュ４とは、部分的又は全面的に接着又は熱溶着されて、あらかじめ一体化されている。そのため、合成樹脂発泡板２とステンレスメッシュ４等のシート材とを別々に取付ける場合に比べて、施工の合理化を図ることができるという利点がある。
【００３９】
このように、シート材が前記編み目８等の複数のアンカー孔を有する場合には、アンカー効果によりこれら合成樹脂発泡板２とシート材とをより強固に一体化できると共に、シート材の下縁部４ｄや上縁部４ｃも布基礎５等により強固に接着等できるという利点がある。
【００４０】
なお、アンカー孔の寸法としては、少なくともいずれかの方向において、前記白アリ３の頭部３ａの横断面の最大寸法Ｈの２倍以下としておくのが望ましい。即ち、前記最大寸法Ｈは、例えばイエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．４ｍｍ程度以下としておくのが望ましい。このアンカー孔の形状は特に限定されるものではなく、矩形状や円状等の適宜の形状とすることができる。要するに、アンカー孔の寸法が、いずれか一方向、あるいは２以上の方向において２Ｈ以下であればよい。
【００４１】
このように、アンカー孔の寸法が２Ｈ以下である場合には、白アリ３の柔らかい体部３ｂ等がアンカー孔に接触するような寸法であり、白アリ３がそれを嫌うので、シート材から合成樹脂発泡板２の内部へ白アリ３が侵入するのを防止することができる。また、アンカー孔の寸法を比較的大きくできるので、シート材の材料コストを低減化できると共に、寸法精度も低くてよいために製造も簡単であるという利点がある。
【００４２】
また、アンカー孔の寸法が２Ｈを超えるが３Ｈ以下である場合には、シート材に、少なくともセメントと細骨材とを含有する例えばモルタルや接着セメント等の表面材を塗布しておけば、前記細骨材等により白アリ３の通り抜けを阻止することができる。アンカー孔の寸法が３Ｈを超える場合には、表面材を塗布しておいても白アリ３が通り抜ける可能性があるので好ましくない。なお、２Ｈ以下の場合でも、表面材を塗布しておいても差し支えない。
【００４３】
前記表面材には、強度、耐クラック性、接着性、水密性、耐摩耗性等を向上させるために、前記接着セメントに含有されるセメント接着剤等のポリマーを添加しておくのが望ましく、また、必要に応じて例えば亜鉛や銅、あるいは亜鉛化合物や銅化合物等の白アリ忌避剤を添加しておいてもよい。この表面材は、合成樹脂発泡板にシート材を接着又は熱溶着等して一体化してから塗布してもよいし、あるいは合成樹脂発泡板にこの表面材でシート材を接着してもよい。
【００４４】
更に、シート材がステンレスメッシュ４等のように可撓性を有する場合には、取扱い易いので防蟻用断熱板１をより簡単に製造できると共に、建築現場での賦形等が可能であるので防蟻用断熱板１の施工も簡単であるという利点がある。
【００４５】
なお、このような可撓性を有するシート材としては、ステンレスメッシュ４の他、例えば合成樹脂や金属等の比較的薄いシート等が挙げられ、また複数のアンカー孔を有するものでもよい。シート材が可撓性を有さない場合には、合成樹脂発泡板２から突出する下縁部４ｄや上縁部４ｃ等は、防蟻用断熱板１を施工しようとする箇所の形状に合わせてあらかじめ適宜の形状に形成等しておけばよい。
【００４６】
このようにして製造される防蟻用断熱板１を施工するには、図４乃至図８に示すように、まず、建築しようとする建物Ａ１の外周部分に施工された布基礎５の立ち上がり部６の例えば外側面６ａに、当該防蟻用断熱板１の合成樹脂発泡板２の他側面２ｂを接着剤等で密着させる。
【００４７】
なお、外周部分の布基礎５の内方には、この実施形態のような間仕切基礎等の布基礎１０と共に又は布基礎１０に代えて、独立基礎等を設けておいてもよい。
【００４８】
ここで、合成樹脂発泡板２の下端２ｄを布基礎５のベース部７に密着させる場合には、ステンレスメッシュ４の下縁部４ｄを例えば外方へ折曲等すればよい。
【００４９】
また、図６に示すように、合成樹脂発泡板２の他端２ｆから所定長さ突出したステンレスメッシュ４の他縁部４ｆを、横方向に相隣接して配置された防蟻用断熱板１のステンレスメッシュ４の一縁部４ｅに重合して取付ければ、相隣接する防蟻用断熱板１の間の隙間を閉塞することができ、そのため白アリ３の侵入をより効果的に防止できるという利点がある。なお、ステンレスメッシュ４の重合部分１１は、釘、ビス、ステープル等の止着部材で止着したり、必要に応じて更に接着セメント等で接着したりしておくのが望ましい。
【００５０】
防蟻用断熱板１を立ち上がり部６に密着させた後は、図７に示すように、ステンレスメッシュ４の下縁部４ｄを布基礎５の例えばベース部７に接着セメント１２等で接着する。なお、接着前には、必要に応じて釘等の止着部材で仮止めしてもよいし、また接着セメント１２に代えて、例えばモルタル等を使用してもよい。
【００５１】
なお、ステンレスメッシュ４の下縁部４ｄは、合成樹脂発泡板２の下端２ｄを巻き込むように内方へ折曲しておいて、防蟻用断熱板１を密着させると同時に立ち上がり部６やベース部７に接着してもよい。また、合成樹脂発泡板２の下端２ｄをベース部７に密着させない場合には、ステンレスメッシュ４の下縁部４ｄを立ち上がり部６のみに接着してもよい。
【００５２】
いずれにしても、上記のような操作により防蟻用断熱板１を簡単に取付けることができると共に、ステンレスメッシュ４等のシート材の下縁部４ｄを布基礎５の所定箇所に接着すれば、シート材の下縁部４ｄと布基礎５との間に隙間が形成されないので、白アリ３の侵入を確実に防止できるという利点がある。
【００５３】
次いで、図８に示すように、布基礎５上に軸組Ｂ等を施工した後、合成樹脂発泡板２の上端２ｃから所定長さ突出したステンレスメッシュ４の上縁部４ｃを、防蟻用断熱板１の上方の断熱板１３を支持する受け材（木材）１４等に例えば釘１５、ビス、ステープル等の止着部材等で取付ける。なお、この止着部材は、必要に応じて例えば銅、亜鉛、黄銅等で構成したり、あるいは含有させたりして、白アリ忌避効果を発揮させるようにしておいてもよい。
【００５４】
また、防蟻用断熱板１は、立ち上がり部６の外側面６ａに密着させる場合に限定されるものではなく、図９に示すように、立ち上がり部６の内側面６ｂに密着させてもよいし、あるいは立ち上がり部６の両側面６ａ，６ｂに密着させてもよい。更に、ステンレスメッシュ４の上縁部４ｃは、図９のように土台１６に直接取付けてもよいし、あるいは、図示しない土台水切り内の木材等に取付けてもよい。
【００５５】
このように、合成樹脂発泡板２の上端２ｃからステンレスメッシュ４等のシート材の上縁部４ｃを所定長さ突出させておき、この上縁部４ｃを土台１６やこの土台１６に固定された木材に取付ければ、合成樹脂発泡板２の内部への白アリ３の侵入を確実に防止できるという利点がある。そのため、白アリ３が合成樹脂発泡板２の内部を通過して建物Ａ１の軸組Ｂ等へ侵入するのを防止することができる。
【００５６】
図１０及び図１１に示すように、第２実施形態に係る防蟻用断熱板２１の施工方法は、第１実施形態と同様にしてステンレスメッシュ４の下縁部４ｄを布基礎５に接着した後、合成樹脂発泡板２の上端２ｃからより長く突出したステンレスメッシュ４の上縁部４ｃを、布基礎５上に載置される土台１６と布基礎５との間に介在する気密パッキン２２の下に挟むものである。
【００５７】
このように、ステンレスメッシュ４等のシート材の上縁部４ｃを気密パッキン２２の下に挟めば、合成樹脂発泡板２の上端２ｃが被覆されることになるので、万が一合成樹脂発泡板２の内部に白アリ３が侵入した場合でも、シート材により白アリ３の進行が阻止されて上方の軸組Ｂ等へ侵入することがない。また、合成樹脂発泡板２と立ち上がり部６の間に隙間が形成されている場合でも、白アリ３の侵入を確実に防止することができる。
【００５８】
図１２乃至図１４に示すように、第３実施形態に係る防蟻用断熱板３１の施工方法は、建物Ａ１の外周部分の所定位置に間隔を開けて互いに平行に保持された１対の型枠３２，３３の例えば外方側の型枠３２の内面３２ａにステンレスメッシュ４が当接するようにして防蟻用断熱板３１を配置した後、前記１対の型枠３２，３３内にコンクリートを打設して布基礎５の例えば立ち上がり部６を施工すると同時に、前記ステンレスメッシュ４の下縁部４ｄをこの立ち上がり部６に埋設することにより取付けるものである。
【００５９】
なお、この実施形態のように、ベース部７を施工してから立ち上がり部６を打設する場合には、ステンレスメッシュ４の下縁部４ｄは、防蟻用断熱板３１を配置する際に又はあらかじめ合成樹脂発泡板２の下端２ｄを巻き込むように折曲等しておけばよい。ベース部７と立ち上がり部６とを同時に打設する場合には、前記１対の型枠３２，３３に加えてベース部７用の型枠（図示せず）も所定位置に配置しておけばよく、この場合には、ステンレスメッシュ４の下縁部４ｄが下方に突出した状態でベース部７に埋設してもよい。また、防蟻用断熱板３１は、外方側の型枠３２の内面３２ａに代えて又は型枠３２の内面３２ａと共に、内方側の型枠３３の内面３３ａに配置してもよい。更に、型枠３２，３３としては、鋼製型枠や合板型枠等の各種の型枠を使用できる。
【００６０】
上記のようにしてステンレスメッシュ４等の下縁部４ｄを布基礎５に埋設すれば、第１実施形態と同様、防蟻用断熱板３１を簡単に取付けることができると共に、シート材の下縁部４ｄと布基礎５との間に隙間が形成されないので、白アリ３の侵入を確実に防止できるという利点がある。
【００６１】
また、この実施形態のように、ステンレスメッシュ４の下縁部４ｄを布基礎５に埋設した後、より長く突出したステンレスメッシュ４の上縁部４ｃを、布基礎５の天端に施工されるならしモルタル３４に埋設すれば、第２実施形態と同様、合成樹脂発泡板２の上端２ｃがシート材により被覆されることになるので、万が一合成樹脂発泡板２の内部に白アリ３が侵入した場合でも、シート材により白アリ３の進行が阻止される。また、合成樹脂発泡板２と立ち上がり部６との間に隙間が形成されている場合でも、白アリ３の侵入を確実に防止することができる。
【００６２】
なお、ならしモルタル３４ではなく、シート材の下縁部４ｄを布基礎５に埋設すると同時に、この布基礎５にシート材の上縁部４ｃを埋設する場合も同様である。
【００６３】
図１５及び図１６に示すように、第４実施形態に係る防蟻用断熱板４１の施工方法は、第２実施形態と同様にしてステンレスメッシュ４の上縁部４ｃを気密パッキン２２の下に挟む前に、布基礎５の内方に盛り上げた盛土４２上に前記布基礎５の天端面５ｃとその上面４３ｃとがほぼ同じ高さとなるように施工された土間床４３の上面４３ｃに接着セメント１２等で接着するものである。
【００６４】
なお、盛土４２上には、この実施形態のような目つぶし砂利４４の他又は目つぶし砂利４４と共に、防湿フィルムや断熱材等を敷設しておいてもよい。断熱材を敷設する場合には、この断熱材の下面等もステンレスメッシュ４等のシート材で被覆しておくのが望ましい。
【００６５】
このように、ステンレスメッシュ４等のシート材の上縁部４ｃを土間床４３の上面４３ｃに接着すれば、床下空間を有さない建物Ａ２において、白アリ３が合成樹脂発泡板２の内部を通過して軸組Ｂや床組Ｃ等へ侵入するのを防止できると共に、土間床４３と立ち上がり部６の打ち継ぎ部分４５からの白アリ３の侵入をも防止できるという利点がある。
【００６６】
図１７及び図１８に示すように、第５実施形態に係る防蟻用断熱板５１の施工方法は、第４実施形態において、ステンレスメッシュ４の上縁部４ｃを土間床４３の打設と同時にこの土間床４３に埋設するものである。
【００６７】
この場合も第４実施形態と同様、床下空間を有さない建物Ａ２における土間床４３と立ち上がり部６の打ち継ぎ部分４５からの白アリ３の侵入をも防止することができる。
【００６８】
図１９及び図２０に示すように、第６実施形態に係る防蟻用断熱板６１の施工方法は、第１実施形態と同様にして防蟻用断熱板６１を立ち上がり部６の内側面６ｂに密着させた場合において、ステンレスメッシュ４の上縁部４ｃを土間床４３の上面４３ｃに接着セメント１２等で接着するものである。
【００６９】
このように、ステンレスメッシュ４等のシート材の上縁部４ｃを土間床４３の上面４３ｃに接着すれば、既述の効果に加え、床下空間を有さない建物Ａ２における土間床４３と防蟻用断熱板６１の打ち継ぎ部分６５からの白アリ３の侵入をも防止できるという利点がある。
【００７０】
図２１及び図２２に示すように、第７実施形態に係る防蟻用断熱板７１の施工方法は、第６実施形態において、合成樹脂発泡板２の一側面２ａの所定高さまでの範囲を被覆したステンレスメッシュ４の上縁部４ｃを土間床４３の打設と同時にこの土間床４３に埋設するものである。
【００７１】
なお、ステンレスメッシュ４の上縁部４ｃは、この実施形態のように、土間床４３を打設する前にあらかじめ内方へ折曲しておくのが望ましい。また、第４乃至第６実施形態のように、ステンレスメッシュ４の上縁部４ｃが合成樹脂発泡板２の上端２ｃから所定長さ突出するように被覆しておいてもよい。
【００７２】
この場合も第６実施形態と同様、床下空間を有さない建物Ａ２における土間床４３と防蟻用断熱板７１の打ち継ぎ部分６５からの白アリ３の侵入をも防止することができる。
【００７３】
以上の第４乃至第７実施形態においては、ステンレスメッシュ４の下縁部４ｄをベース部７に接着しているが、これに限定されるものではなく、第３実施形態のように、布基礎５に埋設しておいてもよい。
【００７４】
図２３乃至図２５に示すように、第８実施形態に係る防蟻用断熱板８１の施工方法は、建物Ａ１の外周部分の所定位置に立設された型枠３２の内面３２ａにステンレスメッシュ４が当接するようにして防蟻用断熱板８１を配置した後、前記型枠３２の内方にコンクリートを打設して基礎スラブ８２を施工すると同時に、前記ステンレスメッシュ４の下縁部４ｄをこの基礎スラブ８２に埋設することにより取付けるものである。
【００７５】
このように、ステンレスメッシュ４等のシート材の下縁部４ｄを基礎スラブ８２に埋設すれば、シート材と基礎スラブ８２との間に隙間が形成されないので、白アリ３の侵入を確実に防止できるという利点がある。
【００７６】
ステンレスメッシュ４の下縁部４ｄを基礎スラブ８２に埋設した後は、図２４に示すように、この基礎スラブ８２上に前記一の型枠３２から所定間隔を開けて他の型枠３３を互いに平行に保持し、この１対の型枠３２，３３内にコンクリートを打設して外周立ち上がり部８３を施工すればよい。
【００７７】
ステンレスメッシュ４の上縁部４ｃは、第１実施形態と同様、図２５に示すように、外周立ち上がり部８３上に載置された土台１６に固定した受け材１４等に取付ければよい。又は、第２及び第３実施形態と同様、気密パッキン２２の下に挟んだり、あるいは外周立ち上がり部８３の天端に施工されるならしモルタル（図示せず）に埋設してもよい。更に、上記のようにして外周立ち上がり部８３を打設すると同時に、この外周立ち上がり部８３に埋設してもよい。
【００７８】
なお、基礎スラブ８２と外周立ち上がり部８３とからなるべた基礎８４の構成としては、この実施形態に限定されるものではなく、例えば図２６に示すように、基礎スラブ８２の外周部分が厚肉とされたもの等であってもよい。
【００７９】
また、防蟻用断熱板８１は、べた基礎８４を施工した後で外周立ち上がり部８３の外側面８３ａや内側面８３ｂ等に密着させてもよく、この場合、ステンレスメッシュ４等のシート材の下縁部４ｄは、防蟻用断熱板８１を外周立ち上がり部８３等に密着させると同時に又は密着させた後、外周立ち上がり部８３、基礎スラブ８２、又は基礎スラブの下方に施工された捨てコンクリート（図示せず）に接着すればよい。この場合も、シート材の下縁部４ｄを基礎スラブ８２に埋設する場合と同様、シート材と外周立ち上がり部８３、基礎スラブ８２、又は捨てコンクリートとの間に隙間が形成されないので、白アリ３の侵入を確実に防止できるという利点がある。
【００８０】
図２７及び図２８に示すように、第９実施形態に係る防蟻用断熱板９１の施工方法は、床下空間を有さない建物Ａ２の基礎スラブ９２の外側面９２ａに、防蟻用断熱板９１の合成樹脂発泡板２の他側面２ｂを密着させた後、ステンレスメッシュ４の下縁部４ｄを例えば前記基礎スラブ９２の下方に施工された捨てコンクリート９５に接着することにより取付けるものである。
【００８１】
なお、ステンレスメッシュ４等のシート材の下縁部４ｄは、前記基礎スラブ９２に接着してもよいし、また防蟻用断熱板９１の密着と同時に基礎スラブ９２や捨てコンクリート９５に接着してもよい。
【００８２】
このように、シート材の下縁部４ｄを基礎スラブ９２や捨てコンクリート９５に接着すれば、シート材と基礎スラブ９２等との間に隙間が形成されないので、白アリ３の侵入を確実に防止できるという利点がある。
【００８３】
シート材の上縁部４ｃは、図２８に示すように、気密パッキン２２の下に挟んでもよいし、あるいは第８実施形態のように土台１６に固定した受け材１４等に取付けてもよい。
【００８４】
なお、防蟻用断熱板９１は、第８実施形態と同様にして基礎スラブ９２の打設と同時にこの基礎スラブ９２の外側面９２ａに密着するようにしてもよい。また、シート材の下縁部４ｄや上縁部４ｃも、基礎スラブ９２の打設と同時にこの基礎スラブ９２に埋設してもよい。
【００８５】
ここで、以上の第１乃至第９実施形態において、図２９に示すように、ステンレスメッシュ４等の下縁部４ｄを合成樹脂発泡板２の少なくとも下端２ｄにあらかじめ接着又は熱溶着により取付けておけば、施工の合理化を図ることができるという利点がある。
【００８６】
図２９に示す例のように、防蟻用断熱板８１又は防蟻用断熱板１，２１，３１，４１，５１，６１，７１，９１を外周立ち上がり部８３等に密着させると同時に、ステンレスメッシュ４等の下縁部４ｄを基礎スラブ８２，９２や、あるいは外周立ち上がり部８３、布基礎５の立ち上がり部６に接着する場合には、この下縁部４ｄを、合成樹脂発泡板２の下端２ｄに加えて他側面２ｂにも取付けておくのが望ましい。この場合には、施工の合理化をより効果的に図ることができるという利点がある。
【００８７】
また、前記下縁部４ｄを基礎スラブ８２，９２又は布基礎５の立ち上がり部６に埋設する場合には、この下縁部４ｄを合成樹脂発泡板２の他側面２ｂにも取付けた状態で埋設してもよいし、あるいは第３及び第８実施形態のように、合成樹脂発泡板２の他側面２ｂからは離した状態で埋設してもよい。
【００８８】
なお、前記下縁部４ｄを基礎スラブ８２，９２の下方に施工された捨てコンクリート９５に接着する場合や、あるいは布基礎５のベース部７に接着又は埋設する場合には、この下縁部４ｄを合成樹脂発泡板２の下端２ｄに取付けた状態でこの合成樹脂発泡板２の他側面２ｂからは突出しない長さに形成しておいてもよい。
【００８９】
また、合成樹脂発泡板２の上端２ｃから所定長さ突出したステンレスメッシュ４等の上縁部４ｃを合成樹脂発泡板２の少なくとも上端２ｃにあらかじめ取付けておく場合も同様に、施工の合理化を図ることができるという利点がある。
【００９０】
この場合も上記と同様、防蟻用断熱板１，２１，３１，４１，５１，６１，７１，８１，９１を外周立ち上がり部８３等に密着させると同時に、ステンレスメッシュ４等の上縁部４ｃを外周立ち上がり部８３、布基礎５の立ち上がり部６、又は基礎スラブ８２，９２に接着する場合には、前記上縁部４ｃを、合成樹脂発泡板２の上端２ｃに加えて他側面２ｂにも取付けておくのが望ましい。このように、シート材の上縁部４ｃを立ち上がり部６、外周立ち上がり部８３、又は基礎スラブ８２，９２に接着すれば、この上縁部４ｃの取付けが簡単であると共に、合成樹脂発泡板２と立ち上がり部６等との間に隙間が形成されている場合でも、白アリ３の侵入を確実に防止することができる。
【００９１】
これに対し、前記上縁部４ｃを土台１６等に取付ける場合、気密パッキン２２の下に挟む場合、ならしモルタル３４に埋設する場合、あるいは土間床４３に接着又は埋設する場合には、この上縁部４ｃを合成樹脂発泡板２の他側面２ｂからは離した状態としておけばよい。なお、前記上縁部４ｃを布基礎５の立ち上がり部６、外周立ち上がり部８３、又は基礎スラブ８２，９２に埋設する場合には、合成樹脂発泡板２の他側面２ｂにも取付けておいてもよいし、あるいは他側面２ｂからは離した状態としておいてもよい。
【００９２】
【発明の効果】
以上のように、請求項１の発明によれば、前記布基礎の立ち上がり部の外側面又は内側面に、前記防蟻用断熱板の合成樹脂発泡板の他側面を密着すると同時に又は密着させた後、前記シート材の下縁部を前記布基礎に接着することにより取付けるので、防蟻用断熱板の施工が簡単であり、合成樹脂発泡板とシート材とを別々に取付ける場合に比べて、施工の合理化を図ることができるという利点がある。また、シート材の下縁部と布基礎との間に隙間が形成されないので、白アリの侵入を確実に防止できるという利点がある。
【００９３】
請求項２の発明によれば、前記１対の型枠のいずれか一方の型枠の内面に前記シート材が当接するようにして前記防蟻用断熱板を配置した後、前記１対の型枠内にコンクリートを打設して布基礎の少なくとも立ち上がり部を施工すると同時に、前記シート材の下縁部をこの布基礎に埋設することにより取付けるので、請求項１の効果と同様、防蟻用断熱板の施工が簡単であるという利点がある。また、シート材の下縁部と布基礎との間に隙間が形成されないので、白アリの侵入を確実に防止できるという利点がある。
【００９４】
請求項３、請求項４、請求項１６、請求項１７、請求項２４、及び請求項２５の発明によれば、前記シート材の下縁部を前記布基礎、外周立ち上がり部、又は基礎スラブに取付けた後、前記シート材の上縁部を前記土台又はこの土台に固定された木材に取付けるので、合成樹脂発泡板の内部への白アリの侵入を確実に防止できるという利点がある。そのため、白アリが合成樹脂発泡板の内部を通過して建物の軸組や床組等へ侵入するのを防止することができる。
【００９５】
請求項５、請求項６、請求項１８、請求項１９、請求項２６、及び請求項２７の発明によれば、前記シート材の下縁部を前記布基礎、外周立ち上がり部、又は基礎スラブに取付けた後、前記シート材の上縁部を前記気密パッキンの下に挟むので、万が一合成樹脂発泡板の内部に白アリが侵入した場合でも、シート材により白アリの進行が阻止されて上方の軸組等へ侵入することがないという利点がある。また、合成樹脂発泡板と立ち上がり部の間に隙間が形成されている場合でも、白アリの侵入を確実に防止することができる。
【００９６】
請求項７、請求項２０、及び請求項２８の発明によれば、前記防蟻用断熱板を前記立ち上がり部等に密着させると同時に、前記合成樹脂発泡板の上端から所定長さ突出したシート材の上縁部を前記立ち上がり部、外周立ち上がり部、又は基礎スラブに接着するので、前記シート材の上縁部の取付けが簡単であると共に、合成樹脂発泡板と立ち上がり部、外周立ち上がり部、又は基礎スラブとの間に隙間が形成されている場合でも、白アリの侵入を確実に防止することができる。
【００９７】
請求項８、請求項２１、及び請求項２９の発明によれば、前記シート材の下縁部を前記布基礎、外周立ち上がり部、又は基礎スラブに埋設すると同時に、前記シート材の上縁部を前記布基礎、外周立ち上がり部、又は基礎スラブに埋設するので、請求項５、請求項６、請求項１８、請求項１９、請求項２６、及び請求項２７の効果と同様、万が一合成樹脂発泡板の内部に白アリが侵入した場合でも、シート材により白アリの進行が阻止されるという利点がある。また、合成樹脂発泡板と立ち上がり部との間に隙間が形成されている場合でも、白アリの侵入を確実に防止することができる。
【００９８】
請求項９及び請求項２２の発明によれば、前記シート材の下縁部を前記布基礎又は基礎スラブに埋設した後、前記シート材の上縁部を前記ならしモルタルに埋設するので、請求項５、請求項６、請求項１８、請求項１９、請求項２６、請求項２７、請求項８、請求項２１、及び請求項２９の効果と同様、万が一合成樹脂発泡板の内部に白アリが侵入した場合でも、シート材により白アリの進行が阻止されるという利点がある。また、合成樹脂発泡板と立ち上がり部との間に隙間が形成されている場合でも、白アリの侵入を確実に防止することができる。
【００９９】
請求項１０及び請求項１１の発明によれば、前記シート材の下縁部を前記布基礎に取付けた後、前記シート材の上縁部を前記土間床の上面に接着するので、床下空間を有さない建物において、白アリが合成樹脂発泡板の内部を通過して軸組や床組等へ侵入するのを防止できると共に、土間床と立ち上がり部の打ち継ぎ部分又は土間床と防蟻用断熱板の打ち継ぎ部分からの白アリの侵入をも防止できるという利点がある。
【０１００】
請求項１２及び請求項１３の発明によれば、前記シート材の下縁部を前記布基礎に取付けた後、前記シート材の上縁部を前記土間床に埋設するので、請求項１０及び請求項１１の効果と同様、床下空間を有さない建物における土間床と立ち上がり部の打ち継ぎ部分又は土間床と防蟻用断熱板の打ち継ぎ部分からの白アリの侵入をも防止することができる。
【０１０１】
請求項１４の発明によれば、前記外周立ち上がり部の外側面又は内側面に前記防蟻用断熱板の合成樹脂発泡板の他側面を密着させると同時に又は密着させた後、前記シート材の下縁部を前記外周立ち上がり部、基礎スラブ、又は捨てコンクリートに接着することにより取付けるので、シート材と外周立ち上がり部、基礎スラブ、又は捨てコンクリートとの間に隙間が形成されず、そのため白アリの侵入を確実に防止できるという利点がある。
【０１０２】
請求項１５の発明によれば、建物の外周部分の所定位置に立設された型枠の内面に前記シート材が当接するようにして前記防蟻用断熱板を配置した後、前記型枠の内方にコンクリートを打設して基礎スラブを施工すると同時に、前記シート材の下縁部をこの基礎スラブに埋設することにより取付けるので、シート材と基礎スラブとの間に隙間が形成されず、そのため白アリの侵入を確実に防止できるという利点がある。
【０１０３】
請求項２３の発明によれば、建物の基礎スラブの外側面に、前記防蟻用断熱板の合成樹脂発泡板の他側面を密着させると同時に又は密着させた後、前記シート材の下縁部を前記基礎スラブ又は捨てコンクリートに接着することにより取付けるので、シート材と基礎スラブ又は捨てコンクリートとの間に隙間が形成されず、そのため白アリの侵入を確実に防止できるという利点がある。
【０１０４】
請求項３０の発明によれば、前記シート材の下縁部を前記合成樹脂発泡板の少なくとも下端にあらかじめ取付けておくので、施工の合理化を図ることができるという利点がある。
請求項３１の発明によれば、前記シート材の下縁部を前記合成樹脂発泡板の下端及び他側面にあらかじめ取付けておくので、施工の合理化をより効果的に図ることができるという利点がある。
【０１０５】
請求項３２の発明によれば、前記合成樹脂発泡板の上端から所定長さ突出したシート材の上縁部を前記合成樹脂発泡板の少なくとも上端にあらかじめ取付けておくので、請求項３０の効果と同様、施工の合理化を図ることができるという利点がある。
【０１０６】
請求項３３の発明によれば、前記シート材の一縁部と前記合成樹脂発泡板の一端とを揃えておくと共に、前記合成樹脂発泡板の他端から所定長さ突出したシート材の他縁部を、横方向に相隣接して配置された防蟻用断熱板のシート材の一縁部に重合して取付けるので、相隣接する防蟻用断熱板の間の隙間を閉塞することができ、そのため白アリの侵入をより効果的に防止できるという利点がある。
【０１０７】
請求項３４の発明によれば、前記シート材が可撓性を有するので、取扱い易くて防蟻用断熱板をより簡単に製造できると共に、建築現場での賦形等が可能で防蟻用断熱板の施工も簡単であるという利点がある。
【０１０８】
請求項３５の発明によれば、前記シート材が、少なくともいずれかの方向において前記白アリの頭部横断面の最大寸法の２倍以下の寸法である複数のアンカー孔を有するので、アンカー効果により合成樹脂発泡板とシート材とをより強固に一体化できると共に、シート材の下縁部や上縁部も布基礎、べた基礎、又は基礎スラブにより強固に接着又は埋設できるという利点がある。また、白アリの柔らかい体部等がアンカー孔に接触するような寸法であり、白アリがそれを嫌うので、シート材から合成樹脂発泡板の内部へ白アリが侵入するのを防止することができる。更に、アンカー孔の寸法を比較的大きくできるので、シート材の材料コストを低減化できると共に、寸法精度も低くてよいために製造も簡単であるという利点がある。
【図面の簡単な説明】
【図１】第１実施形態の施工方法に使用する防蟻用断熱板の斜視図。
【図２】ステンレスメッシュの要部拡大平面図。
【図３】  (a) は白アリの平面図、(b) は(a) のＹ−Ｙ線断面図。
【図４】建物の布基礎を施工した状態を示す断面図。
【図５】建物の外周部分に施工された布基礎の立ち上がり部の外側面に防蟻用断熱板を密着させる様子を示す要部拡大断面図。
【図６】図５の側面図。
【図７】ステンレスメッシュの下縁部をベース部に接着した状態を示す要部拡大断面図。
【図８】ステンレスメッシュの上縁部を受け材に取付けた状態を示す要部拡大断面図。
【図９】防蟻用断熱板を立ち上がり部の内側面に密着させた状態を示す要部拡大断面図。
【図１０】第２実施形態に係る防蟻用断熱板の施工方法を示す要部拡大断面図。
【図１１】ステンレスメッシュの上縁部を気密パッキンの下に挟んだ状態を示す要部拡大断面図。
【図１２】第３実施形態に係る防蟻用断熱板の施工方法を示す要部拡大断面図。
【図１３】立ち上がり部を施工した状態を示す要部拡大断面図。
【図１４】ステンレスメッシュの上縁部をならしモルタルに埋設した状態を示す要部拡大断面図。
【図１５】第４実施形態に係る防蟻用断熱板の施工方法を示す要部拡大断面図。
【図１６】ステンレスメッシュの上縁部を土間床の上面に接着した状態を示す要部拡大断面図。
【図１７】第５実施形態に係る防蟻用断熱板の施工方法を示す要部拡大断面図。
【図１８】ステンレスメッシュの上縁部を土間床に埋設した状態を示す要部拡大断面図。
【図１９】第６実施形態に係る防蟻用断熱板の施工方法を示す要部拡大断面図。
【図２０】ステンレスメッシュの上縁部を土間床の上面に接着した状態を示す要部拡大断面図。
【図２１】第７実施形態に係る防蟻用断熱板の施工方法を示す要部拡大断面図。
【図２２】ステンレスメッシュの上縁部を土間床に埋設した状態を示す要部拡大断面図。
【図２３】第８実施形態に係る防蟻用断熱板の施工方法を示す要部拡大断面図。
【図２４】外周立ち上がり部を施工した状態を示す要部拡大断面図。
【図２５】ステンレスメッシュの上縁部を受け材に取付けた状態を示す要部拡大断面図。
【図２６】防蟻用断熱板を他のべた基礎に施工した状態を示す要部拡大断面図。
【図２７】第９実施形態に係る防蟻用断熱板の施工方法を示す要部拡大断面図。
【図２８】ステンレスメッシュの上縁部を気密パッキンの下に挟んだ状態を示す要部拡大断面図。
【図２９】ステンレスメッシュの下縁部を合成樹脂発泡板の下端等に取付け、且つ、上縁部を合成樹脂発泡板の上端等に取付けた防蟻用断熱板の施工例を示す要部拡大断面図。
【符号の説明】
Ａ１，Ａ２  建物
１，２１，３１，４１，５１，６１，７１，８１，９１  防蟻用断熱板
２  合成樹脂発泡板
２ａ  一側面
２ｂ  他側面
２ｃ  上端
２ｄ  下端
２ｅ  一端
２ｆ  他端
３  白アリ
３ａ  頭部
４  ステンレスメッシュ（シート材）
４ｃ  上縁部
４ｄ  下縁部
４ｅ  一縁部
４ｆ  他縁部
５  布基礎
５ｃ  天端面
６  立ち上がり部
６ａ  外側面
６ｂ  内側面
８  編み目（アンカー孔）
１４  受け材（木材）
１６  土台
２２  気密パッキン
３２，３３  型枠
３２ａ，３３ａ  内面
３４  ならしモルタル
４２  盛土
４３  土間床
４３ｃ  上面
８２  基礎スラブ
８３  外周立ち上がり部
８３ａ  外側面
８３ｂ  内側面
８４  べた基礎
９２  基礎スラブ
９２ａ  外側面
９５  捨てコンクリート
【図１】
0003721448.tif 000002
【図２】
0003721448.tif 000003
【図３】
0003721448.tif 000004
【図４】
0003721448.tif 000005
【図５】
0003721448.tif 000006
【図６】
0003721448.tif 000007
【図７】
0003721448.tif 000008
【図８】
0003721448.tif 000009
【図９】
0003721448.tif 000010
【図１０】
0003721448.tif 000011
【図１１】
0003721448.tif 000012
【図１２】
0003721448.tif 000013
【図１３】
0003721448.tif 000014
【図１４】
0003721448.tif 000015
【図１５】
0003721448.tif 000016
【図１６】
0003721448.tif 000017
【図１７】
0003721448.tif 000018
【図１８】
0003721448.tif 000019
【図１９】
0003721448.tif 000020
【図２０】
0003721448.tif 000021
【図２１】
0003721448.tif 000022
【図２２】
0003721448.tif 000023
【図２３】
0003721448.tif 000024
【図２４】
0003721448.tif 000025
【図２５】
0003721448.tif 000026
【図２６】
0003721448.tif 000027
【図２７】
0003721448.tif 000028
【図２８】
0003721448.tif 000029
【図２９】
0003721448.tif 000030